(57)【要約】  【課題】  部品点数を増加させることなく電気接続箱のケース外面に設けたコネクタ嵌合部へのコネクタの誤結を防止する。  【解決手段】  ケースの外面に前後左右にそれぞれ複数のコネクタ嵌合部を隣接して並設し、複数のコネクタ嵌合部は第一コネクタと第二コネクタとからなる２種類のコネクタのいずれか一方が嵌合される第一コネクタ嵌合部と第二コネクタ嵌合部とからなり、該第一コネクタ嵌合部には第一コネクタ用誤結防止凹部を設ける一方、第二コネクタ嵌合部には第二コネクタ用誤結防止凹部を設け、これら第一コネクタ用誤結防止凹部と第二コネクタ用誤結防止凹部は位置をずらせており、第一、第二コネクタに第一、第二コネクタ用誤結防止凹部に対応する位置に誤結防止リブを突設し、第一コネクタ嵌合部と左右方向および前後方向に隣接するコネクタ嵌合部は第二コネクタ嵌合部としている。  【選択図】  図２
2005287224.tif 000002
【特許請求の範囲】
【請求項１】
ケースの外面に前後左右にそれぞれ複数のコネクタ嵌合部を隣接して並設し、
前記複数のコネクタ嵌合部は第一コネクタと第二コネクタとからなる２種類のコネクタのいずれか一方が嵌合される第一コネクタ嵌合部と第二コネクタ嵌合部とからなり、該第一コネクタ嵌合部には第一コネクタ用誤結防止凹部を設ける一方、第二コネクタ嵌合部には第二コネクタ用誤結防止凹部を設け、これら第一コネクタ用誤結防止凹部と第二コネクタ用誤結防止凹部は位置をずらせており、
前記第一コネクタには前記第一コネクタ用誤結防止凹部に対応する位置に第一誤結防止リブを突設する一方、前記第二コネクタに前記第二コネクタ用誤結防止凹部に対応する位置に第二誤結防止リブを突設し、
前記第一コネクタ嵌合部と左右方向および前後方向に隣接するコネクタ嵌合部は第二コネクタ嵌合部としていることを特徴とする電気接続箱。
【請求項２】
前記複数の各コネクタに接続された電線群を１つに集束したワイヤハーネスを設け、該ワイヤハーネスは前記コネクタ嵌合部近傍の左右方向の一側に形成された位置決め固定部に固定され、
前後方向に隣接する前記コネクタ嵌合部に嵌合されるコネクタは前記位置決め固定位置から端末までの電線長さを同一とする一方、左右方向に異なる位置の前記コネクタ嵌合部に嵌合するコネクタは前記位置決め固定位置から端末までの電線長さをそれぞれ相違させている請求項１に記載の電気接続箱。
【請求項３】
前記コネクタ嵌合部は多極コネクタ嵌合部であると共に、該多極コネクタ嵌合部に嵌合される前記コネクタは多極コネクタで、それぞれ前後方向に短尺で左右方向に長尺な矩形状であって、
前記多極コネクタの端子孔に突出させる複数のタブを１つのバスバーより突出させて、前記多極コネクタ嵌合部に嵌合する多極コネクタにスプライス回路を形成している請求項１または請求項２に記載の電気接続箱。
【請求項４】
前記多極コネクタ嵌合部を設けた部分のケース内部には複数のタブを前後方向に間隔をあけて突設した縦バスバーを左右方向に並設させて収容し、前記多極コネクタ嵌合部に嵌合する多極コネクタには、１つのコネクタ内あるいは／および前後方向に隣接するコネクタ間にスプライス回路を形成している請求項３に記載の電気接続箱。
【請求項５】
左右方向に隣接する前記多極コネクタ嵌合部に嵌合する前記多極コネクタは同一のサブハーネスを構成する電線端末にそれぞれ接続されており、前後方向に隣接する多極コネクタ間にスプライス回路を形成することにより、異なるサブハーネスを接続している請求項４に記載の電気接続箱。
【請求項６】
前記多極コネクタ嵌合部の端子孔から突出する前記縦バスバーのタブは、その幅方向が前記多極コネクタ嵌合部の長尺方向と直交方向の向きとし、これら多極コネクタ嵌合部と嵌合される前記多極コネクタ内の端子の向きも前記端子の向きと一致させている請求項４または請求項５に記載の電気接続箱。
【請求項７】
請求項１乃至請求項６のいずれか１項に記載の電気接続箱のコネクタ嵌合部に嵌合したコネクタの導通検査治具であって、
前記第一コネクタ用導通検査治具と第二コネクタ導通検査治具を備え、
前記コネクタには、左右方向に延在するコネクタ取外用突片を設けていると共に前記誤結防止リブをコネクタの上下方向に延在させて設け、前記第一コネクタのコネクタ取外用突片の一端を前記第二コネクタのコネクタ取外用突片の一端よりもコネクタの導通検査治具への挿入側に設けると共に、前記第二コネクタの誤結防止リブを前記第一コネクタの誤結防止リブよりも前記挿入側に設けており、
前記第一コネクタ用導通検査治具と第二コネクタ用導通検査治具には、第一、第二コネクタの前記正規位置で前記誤結防止リブに当接する第一位置決め突起と前記コネクタ取外用突片の一端に当接する第二位置決め突起を設けており、
前記第一コネクタを前記第二コネクタ用導通検査治具に挿入すると、第一コネクタのコネクタ取外用突片の一端に前記第二位置決め突起が干渉して正規位置まで挿入されない一方、前記第二コネクタを前記第一コネクタ用導通検査治具に挿入すると第二コネクタの誤結防止リブに前記第一位置決め突起が干渉して正規位置まで挿入されない構成としている導通検査治具。
【発明の詳細な説明】
【技術分野】
【０００１】
本発明は、電気接続箱および該電気接続箱に嵌合するコネクタの導通検査治具に関し、電気接続箱のケース外面に設けたコネクタ嵌合部へのコネクタの誤結を防止すると共に、導通検査治具へのコネクタの誤挿入を防止するものである。
【背景技術】
【０００２】
従来、電気接続箱のケース外面に設けたコネクタ嵌合部へのコネクタの誤結を防止するものとして、実開平６−８４６８４号（特許文献１）において、図１１に示す電気接続箱１が提供されている。該電気接続箱１は、ケース外面に設けたコネクタ嵌合部２にそれぞれ他のコネクタ嵌合部２とは異なる位置に誤結防止リブ２ａを設ける一方、該コネクタ嵌合部２に嵌合するコネクタ３は全て同一形状とし、該コネクタ３には誤結防止リブ２ａを挿入する必要最大限の誤結防止用凹部３ａを設けている。そして、コネクタ３をコネクタ嵌合部２に嵌合する際には、所要の誤結防止用凹部３ａを塞ぐ突起４ａを備えた誤挿入防止具４をコネクタ３に取り付けて、コネクタ３を所定のコネクタ嵌合部２にのみ挿入できるようにしてコネクタ３の誤結を防止している。
【０００３】
しかしながら、実開平６−８４６８４号で提供されている電気接続箱１であると、コネクタ３を全て同一形状にすることができるが、各コネクタ３に所要形状の誤挿入防止具４を設けなければならず部品点数が増加する問題がある。また、各コネクタ３に誤挿入防止具４を取り付けなければならず作業工数が増加する問題もある。
【特許文献１】実開平６−８４６８４号公報
【発明の開示】
【発明が解決しようとする課題】
【０００４】
本発明は前記問題に鑑みてなされたものであり、部品点数を増加させることなく電気接続箱のケース外面に設けたコネクタ嵌合部へのコネクタの誤結を防止することを課題としている。
【課題を解決するための手段】
【０００５】
前記課題を解決するため、本発明は、ケースの外面に前後左右にそれぞれ複数のコネクタ嵌合部を隣接して並設し、  前記複数のコネクタ嵌合部は第一コネクタと第二コネクタとからなる２種類のコネクタのいずれか一方が嵌合される第一コネクタ嵌合部と第二コネクタ嵌合部とからなり、該第一コネクタ嵌合部には第一コネクタ用誤結防止凹部を設ける一方、第二コネクタ嵌合部には第二コネクタ用誤結防止凹部を設け、これら第一コネクタ用誤結防止凹部と第二コネクタ用誤結防止凹部は位置をずらせており、
前記第一コネクタには前記第一コネクタ用誤結防止凹部に対応する位置に第一誤結防止リブを突設する一方、前記第二コネクタに前記第二コネクタ用誤結防止凹部に対応する位置に第二誤結防止リブを突設し、
前記第一コネクタ嵌合部と左右方向および前後方向に隣接するコネクタ嵌合部は第二コネクタ嵌合部としていることを特徴とする電気接続箱を提供している。
【０００６】
前記構成によれば、第一コネクタ嵌合部の第一コネクタ用誤結防止凹部と第二コネクタ嵌合部の第二コネクタ用誤結防止凹部の位置をずらせているため、第一コネクタを第二コネクタ嵌合部に、または第二コネクタを第一コネクタ嵌合部にそれぞれ挿入しようとすると、各コネクタの誤結防止リブがコネクタ嵌合部の誤結防止凹部に挿入されずコネクタ嵌合部の周壁に干渉し、コネクタを嵌合することができない。これにより、コネクタ嵌合部へのコネクタの誤嵌合を防止することができる。
【０００７】
また、コネクタ嵌合部が２個より多く設けられていても、前後左右方向に隣接するコネクタ嵌合部同士は、第一、第二コネクタ嵌合部の異なるコネクタ嵌合部としているため、隣接する位置に同一形状のコネクタ嵌合部が配置されない。よって、同一形状のコネクタ嵌合部は離れた位置に配置されるため、例えば、第一コネクタを所定の第一コネクタ嵌合部とは異なる他の第一コネクタ嵌合部に誤嵌合することも防止することができる。これにより、コネクタ嵌合部が２個より多く設けられていても、各コネクタ嵌合部の形状に応じたコネクタを設ける必要はなく２種類でよいため、部品点数を増加させることもない。
なお、コネクタ嵌合部の個数が多数になる場合には、コネクタを３種類以上設けてもよく、この場合、誤結防止リブ及びこれに対応する誤結防止凹部の位置をコネクタの種類と該コネクタを嵌合するコネクタ嵌合部の種類によってそれぞれ相違させている。
【０００８】
前記複数の各コネクタに接続された電線群を１つに集束したワイヤハーネスを設け、該ワイヤハーネスは前記コネクタ嵌合部近傍の左右方向の一側に形成された位置決め固定部に固定され、
前後方向に隣接する前記コネクタ嵌合部に嵌合されるコネクタは前記位置決め固定位置から端末までの電線長さを同一とする一方、左右方向に異なる位置の前記コネクタ嵌合部に嵌合するコネクタは前記位置決め固定位置から端末までの電線長さをそれぞれ相違させていることが好ましい。
【０００９】
前記構成によれば、コネクタの左右方向の取付位置が電線の位置決め固定位置から端末までの長さにより特定でき、コネクタの左右方向の取付位置を間違って誤結するのを防止できる。
また、前記電線長さとコネクタの種類によりコネクタの取付位置を特定しているため、コネクタの種類を増やす必要がない。
例えば、前後方向に２列、左右方向に複数列のコネクタ嵌合部を設けた場合、前後に隣接する一方のコネクタ嵌合部を第一コネクタ嵌合部、他方のコネクタ嵌合部を第二コネクタ嵌合部としておけば、先ず、コネクタの左右方向の取付位置は電線長さで特定し、前後方向の取付位置はコネクタの種類で特定でき、２種類のコネクタで確実に誤結を防止できる。
【００１０】
前記コネクタ嵌合部は多極コネクタ嵌合部であると共に、該多極コネクタ嵌合部に嵌合される前記コネクタは多極コネクタで、それぞれ前後方向に短尺で左右方向に長尺な矩形状であって、
前記多極コネクタの端子孔に突出させる複数のタブを１つのバスバーより突出させて、前記多極コネクタ嵌合部に嵌合する多極コネクタにスプライス回路を形成している。
【００１１】
例えば、前記バスバーを縦バスバーとし、前記多極コネクタ嵌合部を設けた部分のケース内部には複数のタブを前後方向に間隔をあけて突設した縦バスバーを左右方向に並設させて収容し、前記多極コネクタ嵌合部に嵌合する多極コネクタには、１つのコネクタ内あるいは／および前後方向に隣接するコネクタ間にスプライス回路を形成していることが好ましい。
【００１２】
前記構成によれば、縦バスバーを左右方向に並設し、その長さ方向を前後方向とすることにより、前後方向に隣接する多極コネクタ嵌合部に１つの縦バスバーからタブを突出させることができ、前後方向に隣接するコネクタ間に容易にスプライス回路を形成できる。また、隣接する多極コネクタに限らず、同一の多極コネクタ嵌合部内に１つの縦バスバーからタブを突出させると、１つの多極コネクタ内にスプライス回路を形成することができる。
【００１３】
左右方向に隣接する前記多極コネクタ嵌合部に嵌合する前記多極コネクタは同一のサブハーネスを構成する電線端末にそれぞれ接続されており、前後方向に隣接する多極コネクタ間にスプライス回路を形成することにより、異なるサブハーネスを接続していることが好ましい。
前記構成によれば、縦バスバーを介して異なるサブハーネスを容易に接続することができる。
【００１４】
前記多極コネクタ嵌合部の端子孔から突出する前記縦バスバーのタブは、その幅方向が前記多極コネクタ嵌合部の長尺方向と直交方向の向きとし、これら多極コネクタ嵌合部と嵌合される前記多極コネクタ内の端子の向きも前記端子の向きと一致させていることが好ましい。
【００１５】
前記構成によれば、ケース内部に縦バスバーを左右方向に並設させて収容しておくと、縦バスバーの長さ方向とタブの幅方向が共に前後方向となって一致するため、縦バスバーに突設したタブを折り曲げなくてもよく、縦バスバーを容易に形成することができる。
【００１６】
また、本発明は前記電気接続箱のコネクタ嵌合部に嵌合したコネクタの導通検査治具として、
前記第一コネクタ用導通検査治具と第二コネクタ導通検査治具を備え、
前記コネクタには、左右方向に延在するコネクタ取外用突片を設けていると共に前記誤結防止リブをコネクタの上下方向に延在させて設け、前記第一コネクタのコネクタ取外用突片の一端を前記第二コネクタのコネクタ取外用突片の一端よりもコネクタの導通検査治具への挿入側に設けると共に、前記第二コネクタの誤結防止リブを前記第一コネクタの誤結防止リブよりも前記挿入側に設けており、
前記第一コネクタ用導通検査治具と第二コネクタ用導通検査治具には、第一、第二コネクタの前記正規位置で前記誤結防止リブに当接する第一位置決め突起と前記コネクタ取外用突片の一端に当接する第二位置決め突起を設けており、
前記第一コネクタを前記第二コネクタ用導通検査治具に挿入すると、第一コネクタのコネクタ取外用突片の一端に前記第二位置決め突起が干渉して正規位置まで挿入されない一方、前記第二コネクタを前記第一コネクタ用導通検査治具に挿入すると第二コネクタの誤結防止リブに前記第一位置決め突起が干渉して正規位置まで挿入されない構成としている導通検査治具を提供している。
【００１７】
前記構成によれば、コネクタの導通検査をする際には、第一コネクタと第二コネクタとで誤結防止リブの位置とコネクタ取外用突片の長さを相違させることにより、第一コネクタを第二コネクタ用の導通検査治具に、第二コネクタを第一コネクタ用の導通検査治具にそれぞれ正規位置まで挿入できないようにしているため、導通検査治具に誤ったコネクタを挿入して導通検査をしてしまうことを防止できる。
このように、コネクタの誤結を防止するために設けた誤結防止リブとコネクタの取外しを容易にするために設けたコネクタ取外用突片を導通検査治具への誤挿入防止用にも利用しているため、コネクタの導通検査治具への誤挿入防止用に他の部材を用いたりコネクタに他の突起等を設けたりする必要がない。
【発明の効果】
【００１８】
前述したように、本発明によれば、各コネクタ嵌合部に誤結防止用凹部を設け、第一コネクタ嵌合部の第一コネクタ用誤結防止凹部と第二コネクタ嵌合部の第二コネクタ用誤結防止凹部の位置をずらせているため、第一コネクタを第二コネクタ嵌合部に、または第二コネクタを第一コネクタ嵌合部にそれぞれ挿入しようとすると、各コネクタの誤結防止リブがコネクタ嵌合部の誤結防止凹部に挿入されずコネクタ嵌合部の周壁に干渉し、コネクタを嵌合することができない。これにより、コネクタ嵌合部へのコネクタの誤嵌合を防止することができる。
【００１９】
また、コネクタの取付位置を前記のようにコネクタの種類を変えると共に、コネクタに接続された電線の長さを変えて特定できるようにすれば、コネクタの種類をそれほど増加させなくてもよい。
【００２０】
さらに、コネクタの導通検査をする際には、第一コネクタと第二コネクタとで誤結防止リブの位置とコネクタ取外用突片の長さを相違させることにより、第一コネクタを第二コネクタ用の導通検査治具に、第二コネクタを第一コネクタ用の導通検査治具にそれぞれ正規位置まで挿入できないようにしているため、導通検査治具に所定以外のコネクタを挿入して導通検査をしてしまうことを防止できる。
このように、コネクタの誤結を防止するために設けた誤結防止リブとコネクタの取外しを容易にするために設けたコネクタ取外用突片を導通検査治具への誤挿入防止用にも利用しているため、コネクタの導通検査治具への誤挿入防止用に他の部材を用いたりコネクタに他の突起等を設けたりする必要がない。
【発明を実施するための最良の形態】
【００２１】
本発明の実施形態を図面を参照して説明する。
図１乃至図１０は、本発明の実施形態を示し、電気接続箱１０は、アッパーケース１１とロアケース１２からなるケース内部には、縦バスバー２０と、平バスバー３０と絶縁板３１を交互に積層配置した積層体３２と、プリント基板４０とを内部回路として収容している。
【００２２】
図２に示すように、電気接続箱１０の一半側領域を縦バスバー配置領域Ｓ１（図２中、一点鎖線で囲んだ領域）として複数の縦バスバー２０を並列配置する一方、他半側領域を平バスバー配置領域Ｓ２（図２中、二点鎖線で囲んだ領域）として平バスバー３０と絶縁板３１からなる積層体３２を配置している。
【００２３】
アッパーケース１１の外面の縦バスバー配置領域Ｓ１には、前後左右方向（前後方向Ｘ、左右方向Ｙ）に多極コネクタ嵌合部１４を隔壁１４ｃを介して隣接させて、前後方向Ｘに２つ、左右方向Ｙに３つ並べて碁盤目状に並設している。
多極コネクタ嵌合部１４は、第一多極コネクタ嵌合部１４Ａと第二多極コネクタ嵌合部１４Ｂの２種類からなり、同種類の多極コネクタ嵌合部１４が隣接されないように配置している。即ち、左右方向中央かつ前側（アッパーケース１１の外縁側）の多極コネクタ嵌合部１４を第一多極コネクタ嵌合部１４Ａとして、該第一多極コネクタ嵌合部１４Ａに隣接する左右両側と後側の多極コネクタ嵌合部を第二多極コネクタ嵌合部１４Ｂとし、これら第二多極コネクタ嵌合部１４Ｂのみに隣接している残りの２つの多極コネクタ嵌合部１４を第一多極コネクタ嵌合部１４Ａとしている。
【００２４】
多極コネクタ嵌合部１４は、すべて左右方向Ｙが長尺で前後方向Ｘが短尺の矩形状とし、ケース外縁に対向する後側の内部の左右方向中央に多極コネクタ６０のロック部６３とロック結合されるコネクタ嵌合用ロック部１４ｄを設けている。
多極コネクタ嵌合部１４の前側の内部には、多極コネクタ嵌合部１４の上端から底壁１４ａにかけて上下方向に延在する誤結防止凹部を設けており、各多極コネクタ嵌合部１４にそれぞれ２つの誤結防止凹部を左右対称位置に設けている。該誤結防止凹部の位置は第一多極コネクタ嵌合部１４Ａと第二多極コネクタ嵌合部１４Ｂとでずらせており、第一多極コネクタ嵌合部１４Ａの第一多極コネクタ用誤結防止凹部１４Ａ−１を第二多極コネクタ嵌合部１４Ｂの第二多極コネクタ用誤結防止凹部１４Ｂ−１よりも左右方向の中央側に設けている。
【００２５】
また、アッパーケース１１の左右方向左側の多極コネクタ嵌合部１４近傍の側壁に電線の位置決め固定部２８を突設している。該位置決め固定部２８には、多極コネクタ６０に接続された電線群を１つに集束したワイヤハーネスＷ／Ｈがクランプ２９により位置決め固定される。
【００２６】
多極コネクタ嵌合部１４に嵌合する多極コネクタ６０は、図３（Ａ）（Ｂ）に示すように、第一多極コネクタ嵌合部１４Ａに嵌合する第一多極コネクタ６０Ａと第二多極コネクタ嵌合部１４Ｂに嵌合する第二多極コネクタ６０Ｂとで形状を相違させている。
第一、第二多極コネクタ６０Ａ、６０Ｂの前面６０ａには、それぞれ第一、第二多極コネクタ嵌合部１４Ａ、１４Ｂに設けた誤結防止凹部１４Ａ−１、１４Ｂ−１に対応する位置に誤結防止リブ６１Ａ、６１Ｂを設けている。
よって、第一多極コネクタ嵌合部１４Ａに第一多極コネクタ６０Ａを、第二多極コネクタ嵌合部１４Ｂに第二多極コネクタ６０Ｂをそれぞれ挿入すると、誤結防止凹部１４Ａ−１、１４Ｂ−１に誤結防止リブ６１Ａ、６１Ｂがそれぞれ挿入されて嵌合される。一方、第一多極コネクタ嵌合部１４Ａに第二多極コネクタ６０Ｂを、第二多極コネクタ嵌合部１４Ｂに第一多極コネクタ６０Ａをそれぞれ挿入すると、誤結防止リブ６１Ｂ、６１Ａが第一、第二コネクタ嵌合部１４Ａ、１４Ｂの周壁に当接して挿入できず誤結が防止される。
【００２７】
前記のように、第一多極コネクタ６０Ａの誤結防止リブ６１Ａを第二多極コネクタ６０Ｂの誤結防止リブ６１Ｂよりも左右方向の中央側に設けて、第一多極コネクタ６０Ａの右側面６０ｃに設けた押さえ突片６５の先端６５ａから誤結防止リブ６１Ａの右側面までの長さＬ１を第二多極コネクタ６０Ｂの押さえ突片６５の先端６５ａから誤結防止リブ６１Ｂの右側面までの長さＬ２よりも長く設定している。
【００２８】
また、第一、第二多極コネクタ６０Ａ、６０Ｂの前面６０ａの中央上端にコネクタ取外用突片６２Ａ、６２Ｂを突設している。該コネクタ取外用突片６２Ａ、６２Ｂは左右両側部６２Ａ−１、６２Ｂ−１を突出させると共に中央に凹部６２Ａ−２、６２Ｂ−２を設けている。第一多極コネクタ６０Ａのコネクタ取外用突片６２Ａを第二多極コネクタ６０Ｂのコネクタ取外用突片６２Ｂよりも左右方向に長尺として、第一多極コネクタ６０Ａの押さえ突片６５の先端６５ａからコネクタ取外用突片６２Ａの右端面までの長さＬ３を第二多極コネクタ６０Ｂの押さえ突片６５の先端６５ａからコネクタ取外用突片６２Ｂの右端面までの長さＬ４よりも短く設定している。
なお、誤結防止リブ６１は、図４に示すように、その上端面６１ａを多極コネクタ６０の上端より若干下方位置に設けて、誤結防止リブ６１とコネクタ取外用突片６２とを異なる高さ位置に設けている。
【００２９】
多極コネクタ６０の後面６０ｂの中央には、多極コネクタ嵌合部１４のコネクタ嵌合用ロック部１４ｄとロック結合するロック部６３を設けている。
また、多極コネクタ嵌合部１４内に突出するタブ２２に対応させて相手方の雌端子（図示せず）を収容する端子収容室６４を千鳥配置で複数設けると共に、端子収容室６４内の相手方端子は、前記アッパーケース１１の多極コネクタ嵌合部１４内に突出させるタブ２２の向きに対応させて設定している。なお、タブ２２については後述する。
【００３０】
多極コネクタ６０の導通検査治具７０は、第一、第二多極コネクタ６０Ａ、６０Ｂに対応させてそれぞれ別個に設けている。
導通検査治具７０は、上面及び前面を開口としたボックス形状であり、後面には導通検査用の接触子（図示せず）を導通検査治具７０内に挿入するための貫通孔（図示せず）を複数穿設している。
導通検査治具７０内には、底壁７０ａから側壁内面７０ｂに沿って第一位置決め突起７１と第二位置決め突起７２を前後方向の異なる位置に突設している。第一、第二位置決め突起７１、７２の位置は、導通検査治具７０内に多極コネクタ６０を右側面６０ｃ側から挿入したときに、第一位置決め突起７１が誤結防止リブ６１に対応する位置に、第二位置決め突起７２がコネクタ取外用突片６２に対応する位置にそれぞれ設けている。
【００３１】
第一多極コネクタ用の導通検査治具７０Ａは、図５に示すように、第一位置決め突起７１Ａの高さを前記した第一多極コネクタ６０Ａの押さえ突片６５の先端６５ａから誤結防止リブ６１Ａの右側面までの長さＬ１と同等とすると共に、第二位置決め突起７２Ａの高さを前記した突片６５の先端６５ａからコネクタ取外用突片６２Ａの右端面までの長さＬ３と同等としている。
よって、第一多極コネクタ用の導通検査治具７０Ａに第一多極コネクタ６０Ａを挿入すると、第一多極コネクタ６０Ａが正規挿入位置である導通検査治具７０Ａの下端まで挿入されて、誤結防止リブ６１Ａの右側面（図５（Ｃ）中、下側面）に第一位置決め突起７１Ａの上端面が当接すると共に、コネクタ取外用突片６２Ａの右端面（図５（Ｃ）中、下端面）に第二位置決め突起７２Ａの上端面が当接して第一多極コネクタ６０Ａが正規位置で位置決めされる。
【００３２】
同様に、第二多極コネクタ用の導通検査治具７０Ｂは、図６に示すように、第一位置決め突起７１Ｂの高さを第二多極コネクタ６０Ｂの押さえ突片６５の先端６５ａから誤結防止リブ６１Ｂの右側面までの長さＬ２と同等とすると共に、第二位置決め突起７２Ｂの高さを突片６５の先端６５ａからコネクタ取外用突片６２Ｂの右端面までの長さＬ４と同等としている。
よって、第二多極コネクタ用の導通検査治具７０Ｂに第二多極コネクタ６０Ｂを挿入すると、第二多極コネクタ６０Ｂが正規位置である導通検査治具７０Ｂの下端まで挿入されて、誤結防止リブ６１Ｂの右側面（図６（Ｂ）中、下側面）に第一位置決め突起７１Ｂの上端面が当接すると共に、コネクタ取外用突片６２Ｂの右端面（図６（Ｂ）中、下端面）に第二位置決め突起７２Ｂの上端面が当接して、第二多極コネクタ６０Ｂが正規位置で位置決めされる。
【００３３】
一方、第一多極コネクタ用の導通検査治具７０Ａに、第二多極コネクタ６０Ｂを誤挿入すると、図７（Ａ）に示すように、挿入途中で第一位置決め突起７１Ｂよりも突出する第一位置決め突起７１Ａが誤結防止リブ６１Ｂに当接してしまい、正規挿入位置である導通検査治具７０Ａの下端まで挿入されず、第二多極コネクタ６０Ｂが導通検査治具７０Ａの上端から突出する。
逆に、第二多極コネクタ用の導通検査治具７０Ｂに、第一多極コネクタ６０Ａを誤挿入すると、図７（Ｂ）に示すように、挿入途中で第二位置決め突起７２Ａよりも突出する第二位置決め突起７２Ｂがコネクタ取外用突片６２Ａに当接してしまい、正規挿入位置である導通検査治具７０Ｂの下端まで挿入されず、第一多極コネクタ６０Ａが導通検査治具７０Ｂの上端から突出する。
これにより、第一、第二多極コネクタ６０Ａ、６０Ｂを第二、第一多極コネクタ用の導通検査治具７０Ｂ、７０Ａに誤挿入したことを目視により確認できると共に、導通検査用の接触子を多極コネクタの端子収容室６４に挿入することができず、誤って挿入した多極コネクタ６０の導通検査を行なうのを防止することができる。
【００３４】
前記導通検査を行い導通が確認された合計６つの多極コネクタ６０Ａ、６０Ｂに接続された電線ｗ１、ｗ２、ｗ３は集束されて１つのワイヤハーネスＷ／Ｈを形成している。該ワイヤハーネスＷ／Ｈは、図８に示すように、アッパーケース１１に設けた位置決め固定部２８にクランプ２９により位置決め固定されている。
前後方向Ｘに隣接する多極コネクタ嵌合部１４に嵌合する多極コネクタ６０に接続している電線は、位置決め固定部２８から端末までの長さを同一としている一方、図８に示すように、左右方向に隣接する多極コネクタ嵌合部１４を位置決め固定部２８側から多極コネクタ嵌合部１４Ｘ、１４Ｙ、１４Ｚとすると、これら多極コネクタ嵌合部１４Ｘ、１４Ｙ、１４Ｚに嵌合する多極コネクタ６０Ｘ、６０Ｙ、６０Ｚに接続している電線ｗ１、ｗ２、ｗ３は、位置決め固定部２８から端末までの長さをそれぞれ相違させている。
即ち、左右方向の左側（位置決め固定部２８に近接する側）の多極コネクタ嵌合部１４Ｘに嵌合する多極コネクタ６０Ｘに接続している電線ｗ１の長さは、多極コネクタ６０Ｘが多極コネクタ嵌合部１４Ｘに届くが中央及び右側の多極コネクタ嵌合部１４Ｙ、１４Ｚには届かない長さとしている。同様に、多極コネクタ６０Ｙに接続している電線ｗ２の長さは、多極コネクタ６０Ｙが多極コネクタ嵌合部１４Ｙに届くが右側の多極コネクタ嵌合部１４Ｚには届かない長さとしている。また、多極コネクタ６０Ｚに接続している電線ｗ３の長さは、多極コネクタ６０Ｚが多極コネクタ嵌合部１４Ｚに届く長さとしている。
【００３５】
従って、左側の多極コネクタ嵌合部１４Ｘに多極コネクタ６０Ｘを嵌合する際には、先ず、位置決め固定部２８からの電線長さにより２つの多極コネクタ６０Ｘ（６０Ａ、６０Ｂ）を特定する。次いで、多極コネクタ嵌合部１４Ｘは第一多極コネクタ嵌合部１４Ａと第二多極コネクタ嵌合部１４Ｂからなるから、第一多極コネクタ嵌合部１４Ａに第一多極コネクタ６０Ａを嵌合すると共に、第二多極コネクタ嵌合部１４Ｂに第二多極コネクタ６０Ｂを嵌合すれば多極コネクタ６０を所定の多極コネクタ嵌合部１４に挿入でき誤結を防止できる。
同様に、中央及び右側の多極コネクタ嵌合部１４Ｙ、１４Ｚに多極コネクタ６０Ｙ、６０Ｚを嵌合する際にも、先ず電線長さから２つの多極コネクタ６０Ｙ（６０Ａ、６０Ｂ）または６０Ｚ（６０Ａ、６０Ｂ）を特定し、これら特定された多極コネクタ６０Ｙ、６０Ｚの第一、第二多極コネクタ６０Ａ，６０Ｂをそれぞれ対応する第一、第二多極コネクタ嵌合部１４Ａ、１４Ｂに嵌合させている。
即ち、本実施形態では、６つの多極コネクタ嵌合部１４に対して、多極コネクタ６０を２種類設けると共に、位置決め固定部２８から電線端末までの電線長さを３種類設けることにより多極コネクタ６０の誤結を防止している。
【００３６】
前記多極コネクタ６０を多極コネクタ嵌合部１４に嵌合させると、図９に示すように、前後方向Ｘに隣接させた多極コネクタ６０は、後側に嵌合される多極コネクタ６０のコネクタ取外用突片６２の中央の凹部６２ａと前側に嵌合される多極コネクタ６０のロック部６３が対向する位置に配置される。
前側に嵌合される多極コネクタ６０を多極コネクタ嵌合部１４から取り外す際には、棒状の治具を後側の多極コネクタ６０のコネクタ取外用突片６２の凹部６２ａに通して多極コネクタ嵌合部１４内に挿入してロックを解除し、多極コネクタ６０を多極コネクタ嵌合部１４から取り外している。
【００３７】
前記多極コネクタ６０が嵌合する多極コネクタ嵌合部１４の端子孔に突出させる電気接続箱の内部回路について、以下に説明する。
多極コネクタ嵌合部１４の底壁１４ａには複数の端子孔１４ｂを穿設しており、該端子孔１４ｂの長辺方向を多極コネクタ嵌合部１４の長辺方向と直交方向としている。また、端子孔１４ｂは多極コネクタ嵌合部１４の長辺方向に沿って千鳥配置とし、端子孔１４ｂには、ケース内部に収容された縦バスバー２０のタブ２２が貫通されている。
【００３８】
ロアケース１２の縦バスバー配置領域Ｓ１には、図８及び図１０に示すように、縦バスバー配置領域Ｓ１と平バスバー配置領域Ｓ２との境界から縦バスバー配置領域Ｓ１の他側先端側にかけて延在する縦バスバー収容室１３を左右方向Ｙに間隔をあけて複数並設し、該縦バスバー収容室１３に縦バスバー２０の基部２３を圧入固定している。
【００３９】
前記各縦バスバー２０には、電気接続箱内に垂直方向（縦方向）に配置される基部２３の上下いずれかの片面あるいは両面の所要箇所から間隔をあけて複数のタブ２２、２４を突設しており、タブ２２、２４は、基部２３に対して屈曲させずに、タブ２２の幅方向を縦バスバー２０の長さ方向と同一方向としている。
【００４０】
縦バスバー２０の基部２３から上方に突設するタブ２２はアッパーケース１１の多極コネクタ嵌合部１４内に突出する一方、基部２３から下方に突設するタブ２４はロアケース１２のコネクタ収容部１５内に突出している。
詳細には、前後方向に隣接させて設けた多極コネクタ嵌合部１４Ａ、１４Ｂ、コネクタ収容部１５Ａ〜１５Ｃには、１つの縦バスバー２０に突設したタブ２２、２４を内部に突出させている。また、同一の多極コネクタ嵌合部１４内に１つの縦バスバー２０に突設したタブ２２を複数突出させている。
【００４１】
縦バスバー配置領域Ｓ１において、前後方向に隣接して並設する多極コネクタ嵌合部１４Ａと１４Ｂ、コネクタ収容部１５Ａと１５Ｂと１５Ｃには、前記のように１つの縦バスバー２０から間隔をあけて突設した複数個のタブ２２、２４が突出されるため、多極コネクタ嵌合部１４Ａと１４Ｂ、コネクタ収容部１５Ａと１５Ｂと１５Ｃにそれぞれ嵌合する多極コネクタ６０は縦バスバー２０を介してスプライス接続されることとなる。
本実施形態では、前後方向Ｘの前側の多極コネクタ嵌合部１４に嵌合する多極コネクタ６０を第一サブハーネス（図示せず）の端末に接続する一方、後側の多極コネクタ嵌合部１４に嵌合する多極コネクタ６０を第二サブハーネス（図示せず）の端末に接続している。よって、前後方向に隣接した多極コネクタ嵌合部１４に多極コネクタ６０を嵌合させて前記スプライス接続することにより、第一サブハーネスと第二サブハーネスを接続することができる。
また、同一の多極コネクタ嵌合部１４内に１つの縦バスバー２０に突設したタブを複数突出させているため、多極コネクタ嵌合部１４内に嵌合する１つのコネクタ６０内でも縦バスバー２０によりスプライス回路が形成される。
【００４２】
一方、平バスバー配置領域Ｓ２に配置する平バスバー３０の一端は、縦バスバー配置領域Ｓ１との境界位置に配置し、縦バスバー２０のバスバー接続用タブ２１に対向する位置に平バスバー３０の先端から下方に屈折させた音叉端子３３を設けている。該音叉端子３３は縦バスバー２０のバスバー接続用タブ２１に対して直交とし、積層体３２をロアケース１２に収容すると、所要のバスバー接続用タブ２１が音叉端子３３のスリット内に挿入されて圧接される構成としている。
前記音叉端子３３は千鳥配置として、縦バスバー２０を狭ピッチで配置できるようにしている。
【００４３】
前記平バスバー３０の音叉端子３３は、縦バスバー２０のバスバー接続用タブ２１と圧接させる前に、予め別体の保護樹脂ブロック５０で覆って保護している。保護樹脂ブロック５０の端子収容室に音叉端子３３が圧入される一方、該端子収容室の下端から縦バスバー２０のバスバー接続用タブ２１が挿入されて、該バスバー接続用タブに音叉端子３３が圧接される。
【００４４】
一方、平バスバー３０は所要箇所を上方または下方に屈折させて端子部３４を設け、アッパーケース１１に設けたリレー収容部１６、ヒューズ収容部１７、又は、ロアケース１２に設けたコネクタ収容部２７、ヒューズ収容部１８内のいずれかに突出させている。
【００４５】
また、図１０に示すように、アッパーケース１１の所要箇所に上壁を突出させてプリント基板収容部１９を設け、該プリント基板収容部１９内に積層体３２との間に絶縁板４１を介在させてプリント基板４０を収容している。該プリント基板４０に対向する箇所の平バスバー３０からは、上方に向けて長尺な導体接続用タブ３５を突出させ、該導体接続用タブ３５を絶縁板４１から上方に突設した接続用タブ収容部４２を通して、上方に配置したプリント基板４０の導体に半田付けして接続している。なお、プリント基板４０は、平バスバー３０から固定用タブ収容部４３を通して突出させた基板固定用タブ３６に半田付けされて所要高さで支持されている。
【００４６】
前記構成とすると、電気接続箱１０のアッパーケース１１に第一、第二多極コネクタ嵌合部１４Ａ、１４Ｂを設けてそれぞれ異なる位置に誤結防止凹部１４Ａ−１、１４Ｂ−１を設けると共に、第一、第二多極コネクタ嵌合部１４Ａ、１４Ｂに嵌合する多極コネクタ６０Ａ、６０Ｂを設けて、誤結防止凹部１４Ａ−１、１４Ｂ−１に対応する位置に誤結防止リブ６１Ａ、６１Ｂを設けているため、確実に第一多極コネクタ６０Ａを第一多極コネクタ嵌合部１４Ａに、第二多極コネクタ６０Ｂを第二多極コネクタ嵌合部１４Ｂにそれぞれ嵌合させることができ誤結を防止することができる。また、第一多極コネクタ嵌合部１４Ａと第二多極コネクタ嵌合部１４Ｂとを前後左右方向に隣接させないように配置しているため、より確実に多極コネクタ６０の誤結を防止することができる。
【００４７】
また、左右方向に隣接する多極コネクタ嵌合部１４に嵌合する多極コネクタ同士の電線長さを変えると共に、前後方向に隣接する２つの多極コネクタ６０を第一多極コネクタ６０Ａと第二多極コネクタ６０Ｂにより構成しているため、アッパーケース１１に設けた６つの多極コネクタ嵌合部１４に嵌合する多極コネクタ６０を電線長さと多極コネクタ６０の種類によりそれぞれ特定して誤結を防止することができる。よって、６つの多極コネクタ嵌合部１４に対して６種類の多極コネクタを設ける必要がなく、部品点数及び製造コストを低減することができる。
【００４８】
さらに、多極コネクタ６０の導通検査をする際には、第一多極コネクタ６０Ａと第二多極コネクタ６０Ｂとで異なる誤結防止リブ６１の位置と、コネクタ取外用突片６２の長さにより、第一多極コネクタ６０Ａを第二多極コネクタ用の導通検査治具７０Ｂに、第二多極コネクタ６０Ｂを第一多極コネクタ用の導通検査治具７０Ａにそれぞれ正規位置まで挿入できないようにしているため、導通検査治具に誤った多極コネクタを挿入して導通検査をしてしまうことを防止できる。このように、他の目的で設けた誤結防止リブ６１とコネクタ取外用突片６２を導通検査治具７０への誤挿入防止にも利用しているため、多極コネクタ６０の導通検査治具７０への誤挿入防止用に他の部材を用いたり多極コネクタ６０に他の突起等を設けたりする必要がない。
なお、本実施形態では、縦バスバーに突設したタブを多極コネクタの相手方端子と接続しているが、タブは平バスバーの先端を屈折させて設けたタブや単芯線に圧接したタブでもよい。
【図面の簡単な説明】
【００４９】
【図１】本発明の実施形態の電気接続箱の分解斜視図である。
【図２】前記電気接続箱を示し、（Ａ）は平面図、（Ｂ）は底面図である。
【図３】（Ａ）は第一多極コネクタの平面図、（Ｂ）は第二多極コネクタの平面図である。
【図４】多極コネクタの左側面図である。
【図５】第一多極コネクタを第一多極コネクタ用の導通検査治具に挿入した状態を示し、（Ａ）は平面図、（Ｂ）は正面図、（Ｃ）は位置決め突起を通る断面図である。
【図６】第二多極コネクタを第二多極コネクタ用の導通検査治具に挿入した状態を示し、（Ａ）は正面図、（Ｂ）は位置決め突起を通る断面図である。
【図７】（Ａ）は第二多極コネクタを第一多極コネクタ用の導通検査治具に誤挿入した状態を示す断面図、（Ｂ）は第一多極コネクタを第二多極コネクタ用の導通検査治具に誤挿入した状態を示す断面図である。
【図８】電気接続箱にワイヤハーネスを位置決め固定した状態を示す図面である。
【図９】電気接続箱の多極コネクタ嵌合部に多極コネクタを嵌合した状態を示す平面図である。
【図１０】電気接続箱の前後方向の断面図である。
【図１１】従来例を示す図面である。
【符号の説明】
【００５０】
１０  電気接続箱
１１  アッパーケース
１２  ロアケース
１４Ａ  第一多極コネクタ嵌合部
１４Ｂ  第二多極コネクタ嵌合部
１４Ａ−１  第一多極コネクタ用誤結防止凹部
１４Ｂ−１  第二多極コネクタ用誤結防止凹部
２０  縦バスバー
２２、２４  タブ
３０  平バスバー
４０  プリント基板
６０Ａ  第一多極コネクタ
６０Ｂ  第二多極コネクタ
６１  誤結防止リブ
６２  コネクタ取外用突片
７０  導通検査治具
７１  第一位置決め突起
７２  第二位置決め突起
Ｓ１  縦バスバー配置領域
Ｓ２  平バスバー配置領域
【図１】
2005287224.tif 000003
【図２】
2005287224.tif 000004
【図３】
2005287224.tif 000005
【図４】
2005287224.tif 000006
【図５】
2005287224.tif 000007
【図６】
2005287224.tif 000008
【図７】
2005287224.tif 000009
【図８】
2005287224.tif 000010
【図９】
2005287224.tif 000011
【図１０】
2005287224.tif 000012
【図１１】
2005287224.tif 000013